(57)【要約】一連の外科用ツール（１１、２１、３１、４１、５１、６１、７１、８１）は、細長い導波管（１２、１３、１４）の遠位端に隣接して据え付けられた、それぞれの動作ヘッド（１６、２６、３６、４６、５６、６６、７６、８６、および９６）を有する。動作ヘッド（１６、２６、３６、４６、５６、６６、７６、８６および９６）は、人工股関節の置換のようなプロテーゼ修正手術の一部として、大腿骨（１）のような、中空骨（１）内からＰＭＭＡ骨セメント（２、５）を除去するために使用される。ねじれモード超音波振動は、導波管（１２、１３、１４）に沿ってそれぞれの動作ヘッド（１６、２６、３６、４６、５６、６６、７６、８６および９６）に伝達され、動作ヘッドは、骨セメント（２、５）に適用され、骨セメントを軟化させ、骨セメントの除去を容易にする。細長い放射状チャネル（１８、２３、２８、３８）は、いくつかの外科用ツール（１１、２１、３１、４１、７１、８１）のセメント接触面にわたって延び、ねじれモード超音波振動を隣接するセメント（２、５）に集中させ伝達するように作用する。別のツール（５１）では、そのセメント接触面のスカラップ状凹部（５８、５９）は実質的に同じ効果を有するが、さらなるツール（６１）では、ツール（６１）の遠位縁部（６９）に沿った一連のノッチ（６５）は類似の機能を有する。あるツール（７１、８１）の動作ヘッド（７６、８６、９６）は、セメントプラグ（５）内に埋め込まれ、次いで、骨（１）からプラグ（５）をユニットとして引き抜くために使用されることができる。【選択図】図３Ａ
2022502169.tif 000002
【特許請求の範囲】
【請求項１】
ねじれモード超音波振動によって作動されるように適合された、人工関節再置換術において使用するための外科用ツールであって、
導波管手段の遠位端に隣接して据え付けられた動作ヘッドに前記超音波振動を伝達するように適合された細長い導波管手段を備え、ここで、前記動作ヘッドは、前記細長い導波管手段の長手方向軸に対して横方向に延びる平面体を備え、前記平面体の遠位面には、複数のくぼんだ凹部が設けられ、各前記凹部は、ねじれモード超音波振動を、前記遠位面と接触する骨セメントのような材料中に集中させて伝えるように適合されている、外科用ツール。
【請求項２】
前記平面体は、前記導波管手段の長手方向軸線に対して直交して延びる、請求項１に記載の外科用ツール。
【請求項３】
前記平面体は、そのすべての側について前記導波管手段から外側に延びる、請求項１または２に記載の外科用ツール。
【請求項４】
前記くぼんだ凹部は細長い形状を有する、請求項１から３のいずれか一項に記載の外科用ツール。
【請求項５】
前記細長いくぼんだ凹部は、前記導波管手段の長手方向軸線に沿って位置付けられた点から前記平面体の遠位面にわたって外側に放射状に広がる、請求項４に記載の外科用ツール。
【請求項６】
前記細長いくぼんだ凹部は、それぞれの長手方向軸線の周囲で湾曲しており、例えば部分円筒形の輪郭を有している、請求項４または５に記載の外科用ツール。
【請求項７】
前記平面体の前記遠位面には、前記導波管手段の前記長手方向軸に沿って位置付けられた遠位突出部が設けられている、請求項１から６のいずれか一項に記載の外科用ツール。
【請求項８】
前記平面体の近位面にも複数のくぼんだ凹部が設けられ、それぞれの前記凹部は、ねじりモード超音波振動を前記近位面と接触する骨セメントのような材料に集中させて伝えるように適合されている、請求項１から７のいずれか一項に記載の外科用ツール。
【請求項９】
前記平面体の前記近位面上の前記くぼんだ凹部は細長い、請求項８に記載の外科用ツール。
【請求項１０】
前記細長いくぼんだ凹部は、前記導波管手段との接合部から前記平面体の前記近位面にわたって外側に放射状に広がっている、請求項９に記載の外科用ツール。
【請求項１１】
前記平面体は、実質的に円形である、請求項１から１０のいずれか一項に記載の外科用ツール。
【請求項１２】
前記平面体には、その円周に配置された複数の浅いノッチまたは凹部が設けられる、請求項１から１１のいずれか一項に記載の外科用ツール。
【請求項１３】
前記平面体が非円形であり、第１の方向に直交する第２の外方向に延びるよりも、前記導波管手段から前記第１の方向にさらに外側に延びる、請求項１から１０のいずれか一項に記載の外科用ツール。
【請求項１４】
前記第２の外方向における前記平面体の範囲は、前記導波管手段の直径に実質的に対応する、請求項１３に記載の外科用ツール。
【請求項１５】
前記ツールには、第１の平面体に近位の前記導波管手段上の点から前記導波管手段の長手方向軸に対して横方向に延びる第２の平面体がさらに設けられ、前記第１および第２の平面体は、実質的に同一の形状、サイズ、および整列を有するが、前記第１の平面体のみが、その遠位面上に前記くぼんだ凹部を有する、１から１４のいずれか１項に記載の外科用ツール。
【請求項１６】
ねじれモード超音波振動によって作動されるように適合された、人工関節再置換術において使用するための外科用ツールであって、
導波管手段の遠位端に隣接して据え付けられた動作ヘッドに前記超音波振動を伝達するように適合された細長い導波管手段を備え、ここで、前記動作ヘッドは、細長い導波管手段の長手方向軸に対して横方向に延びる平面体を備え、前記平面体の近位面には、複数のくぼんだ凹部が設けられ、各前記凹部は、ねじれモード超音波振動を、前記近位面と接触する骨セメントのような材料に集中させて伝えるように適合される、外科用ツール。
【請求項１７】
前記平面体は、前記導波管手段の長手方向軸に対して直交して延びる、請求項１６に記載の外科用ツール。
【請求項１８】
前記平面体の前記近位面上の前記くぼんだ凹部は、細長い形状を有する、請求項１６または請求項１７に記載の外科用ツール。
【請求項１９】
前記細長いくぼんだ凹部は、前記導波管手段との接合部から前記平面体の前記近位面にわたって外側に放射状に広がっている、請求項１８に記載の外科用ツール。
【請求項２０】
前記細長いくぼんだ凹部は、それらのそれぞれの長手方向軸の周りで湾曲しており、例えば部分円筒形状を有する、請求項１８または１９に記載の外科用ツール。
【請求項２１】
ねじれモード超音波振動によって作動するように適合された、人工関節再置換術において使用するための外科用ツールであって、
導波管手段の遠位先端を備える動作ヘッドに前記超音波振動を伝えるように適合された細長い導波管手段を備え、ここで、前記動作ヘッドは、横方向に延びる遠位端面へと円錐台状に広がる前記導波管手段の端末伸長を備え、前記遠位端面は、複数のくぼんだ凹部を備え、各前記凹部は前記遠位端面と接触する骨セメントのような材料にねじれモード超音波振動を集中し伝えるように適合され、ここで、前記動作ヘッドは、前記端末伸長の円周から放射状に内側に延びる、および前記遠位端面からに前記端末伸長に近位の前記導波管手段上の点に長手方向に延びる、複数のスロットをさらに備え、前記スロットは、前期動作ヘッドを通して、前記動作ヘッドの作用によって軟化された骨セメントの通過を可能にするように適合される、外科用ツール。
【請求項２２】
放射状スロットは、前記遠位端面の全表面積のほぼ半分に等しい、前記遠位端面と接触する全表面積を有する、請求項２１に記載の外科用ツール。
【請求項２３】
ねじれモード超音波振動によって作動されるように適合された、人工関節再置換術において使用するための外科用ツールであって、
前記超音波振動を、導波管手段の遠位端から延びる動作ヘッドに伝達するように適合されている細長い導波管手段を備え、ここで、前記動作ヘッドは、前記動作ヘッドの遠位縁部に向かって、第１の横方向に遠位に広がり、第２の横方向に遠位に先細になり、前記遠位縁部は、前記導波管手段の長手方向軸に対して直交する平面内に延び、直交平面内で、前記長手方向軸の一方の側に配置された浅い円弧において湾曲し、前記浅い円弧の曲率の中心は、前記円弧自体から前記長手方向軸の反対側に位置付けられる、外科用ツール。
【請求項２４】
前記遠位縁部は、前記遠位縁部から近くに延びる一連の丸みを帯びたノッチを備え、前記ノッチ間に一連のＶ字形の歯を規定する、請求項２３に記載の外科用ツール。
【請求項２５】
埋め込まれたセメント接合プロテーゼの除去後に骨空洞から骨セメントを除去する方法であって、
第１の超音波振動可能外科用ツールを使用して、前記骨空洞の壁を裏打ちする骨セメントの中に複数の長手方向の溝を形成するステップと、各溝は、前記骨セメントを通って前記骨空洞の壁まで放射状に延び、次いで、前記溝によって横方向に境界を定めたセクションにおいて前記セメントを前記壁から分離するように、前記セメントと前記骨空洞の壁との間で第２の超音波振動可能ツールを遠位方向に通過させるステップとを含む、方法。
【請求項２６】
前記第１の超音波振動可能外科用ツールは、請求項１３または請求項１４のいずれかに記載の外科用ツールを備え、第２の超音波振動可能外科用ツールは、請求項２３または請求項２４のいずれかに記載のツールを備える、請求項２５に記載の方法。
【請求項２７】
埋め込まれたセメント接合プロテーゼの除去後に骨空洞に充填する骨セメントプラグを除去する方法であって、
前記骨セメントプラグへの少なくとも１つの回転非対称平面体を備える動作ヘッドを有する第４の超音波振動可能外科用ツールを骨セメントプラグ中で駆動するステップと、前記除去の結果として隣接する骨セメントは依然として軟化されている間、少なくとも１つの平面体が隣接するバルクセメント中に横方向に通過するように前記動作ヘッドをねじるステップと、セメントが再硬化し、前記ツールがセメント中に固定されるまで待機するステップと、次いで、前記セメントプラグに力を及ぼし、それを前記骨空洞から実質的に一体として引き抜くように前記ツールを操作するステップとを含む、方法。
【発明の詳細な説明】
【技術分野】
【０００１】
本発明は、人工関節再置換術の一部として骨空洞からセメントを除去するための外科用ツールに関する。排他的ではないが、より詳細には、本発明は、骨空洞からプロテーゼを除去した後にＰＭＭＡセメントを除去するための超音波活性化可能ツールのセットに関する。本発明はさらに、このようなツールを使用する人工関節再置換術方法に関する。
【背景技術】
【０００２】
股関節インプラントのような関節プロテーゼは、骨の空洞に挿入されたシャフトによって中空骨に埋め込まれる少なくとも１つのコンポーネントを含む。いくつかのインプラントは、骨空洞中にインプラントのシャフトを固定するために海綿質骨の成長に依存するが、ポリ（メチルメタクリレート）セメント（ＰＭＭＡセメント）がより一般的に使用され、インプラントのシャフトと骨空洞の内壁との間の空間を充填し、オプション的に、シャフトの遠位端に対して遠位に骨空洞を密閉する。
【０００３】
このようなインプラントは寿命が限られているため、古いインプラントを除去し、部位を洗浄し、その場所に置換プロテーゼを埋め込むことによって関節プロテーゼを修正する必要があることが多い（人工関節再置換術）。古いセメントは除去されなければならず、または新しいセメントの接着を妨げるかもしれない。ＰＭＭＡセメント除去のための最初のアプローチは、単にそれを掘ることであり、これは数時間かかることがある。重要な前進は、縦モード超音波振動によって作動されるツールの使用に由来し、これはセメントの局所的な軟化を引き起こし、はるかに容易な除去を可能にした。しかしながら、この方法は、例えば、隣接する構造骨に切り込むのではなく、意図された場所だけに縦モード振動の効果を向けることが困難であることに関係付けられているいくつかの欠点を依然として有する。これは、インプラントの特徴が、例えば感染による隣接する骨の弱体化または損傷によるものである場合に、特に重要である。
【０００４】
ねじりモード超音波振動は、例えば腹腔鏡（鍵穴）手術において軟組織を切断するのに有用であることが証明されている。しかしながら、この用途で使用されるツールは、関節形成作業には適していない。
【０００５】
したがって、本発明の目的は、上記の欠点を取り除き、より迅速かつ正確なセメント除去を可能にする、人工関節再置換術、およびこれに類するものの過程で骨空洞からＰＭＭＡセメントを除去するためのツール、特に、セメントへのねじれモード超音波振動の効果的な適用を可能にするツールを提供することである。また、本発明の目的は、このようなツールを使用してセメントを除去する方法を提供することである。
【発明の概要】
【０００６】
本発明の第１の態様にしたがうと、ねじれモード超音波振動によって作動されるように適合された、人工関節再置換術において使用するための外科用ツールが提供され、導波管手段の遠位端に隣接して据え付けられた動作ヘッドに前記超音波振動を伝達するように適合された細長い導波管手段を備え、ここで、前記動作ヘッドは、導波管手段の長手方向軸に対して横方向に延びる平面体を備え、前記平面体の遠位面は、複数のくぼんだ凹部を備え、それぞれは、ねじれモード超音波振動を、前記遠位面と接触するセメントのような材料中に集中させて伝えるように適合されている。
【０００７】
好ましい実施形態では、前記平面体は、導波管手段の長手方向軸に直交して延びる。
【０００８】
また、平面体が導波管手段の遠位端に対称的に据え付けられることも好ましい。
【０００９】
平面体が導波管手段の外側にすべての側に延びることはさらに好ましい。
【００１０】
好ましくは、前記くぼんだ凹部は細長い形状を有する。
【００１１】
有利には、前記細長いくぼんだ凹部は、導波管手段の長手方向軸に沿った点から平面体の遠位面にわたって外側に放射状に広がる。
【００１２】
細長いくぼんだ凹部は、有利には、それぞれの長手方向軸の周りで湾曲していてもよい。
【００１３】
したがって、細長いくぼんだ凹部は、平坦な本体の遠位面にわたって放射状に広がるフルーティング、チャネル、スカラップ（scallops）、またはスクープ（scoops）の形態をとることができる。
【００１４】
平面体の遠位面には、導波管手段の長手方向軸線に沿って位置付けられた遠位突出部が設けられてもよい。
【００１５】
この態様の第２の実施形態では、平面体の近位面も複数のくぼんだ凹部を備え、それぞれは、ねじりモード超音波振動を前記近位面と接触するセメントのような材料に集中させて伝えるように適合されている。
【００１６】
好ましくは、前記くぼんだ凹部は細長い。
【００１７】
有利には、細長いくぼんだ凹部は、導波管手段との接合部から平面体の近位面にわたって外側に放射状に広がっている。
【００１８】
細長いくぼんだ凹部は、導波管手段の遠位部分に沿って長手方向に延びるように、平面体の近位面から導波管手段の外面まで連続してもよい。
【００１９】
したがって、この実施形態では、外科用ツールは、セメントを削り取るかまたはすくい上げるために、セメント内への遠位方向に向けられた押し込み動作、または近くの方向に向けられた引っ張り動作のいずれかで使用されてもよい。
【００２０】
この態様のほとんどの実施形態では、平面体は実質的に円形である。
【００２１】
平面体には、その円周に浅いノッチまたは凹部が設けられてもよく、オプション的に、それぞれの細長いくぼんだ凹部の外端部とそれぞれ整列される。
【００２２】
したがって、ツールによって軟化したセメントは、平面体の遠位側から近位側へとより容易に通過することができる。
【００２３】
この態様の代替実施形態では、平面体は円形ではなく、第１の方向に直交する第２の方向よりも、第１の方向にさらに外側に延びる。
【００２４】
オプション的に、前記第２の方向における平面体の範囲は、導波管手段の直径に実質的に対応してもよい。
【００２５】
次いで、平面体のより狭い端部を使用して、セメント、特に骨空洞の内壁を裏打ちするセメントに狭い溝を形成することができる。
【００２６】
これらの実施形態では、ツールには、第１の平面体に近位の点における導波管手段の長手方向軸に対して横方向に延びる第２の平面体がさらに設けられ、前記第１および第２の平面体は、実質的に同一の形状、サイズ、および整列を有するが、平面体のより遠位のみが、その遠位面上に凹部を有する。
【００２７】
本発明の第２の態様にしたがうと、ねじれモード超音波振動によって作動されるように適合された、人工関節再置換術において使用するための外科用ツールが提供され、導波管手段の遠位端に隣接して据え付けられた動作ヘッドに前記超音波振動を伝達するように適合された細長い導波管手段を備え、ここで、前記動作ヘッドは、細長い導波管手段の長手方向軸に対して横方向に延びる平面体を備え、前記平面体の近位面は、複数のくぼんだ凹部を備え、それぞれは、ねじれモード超音波振動を、前記近位面と接触するセメントのような材料に集中させて伝えるように適合される。
【００２８】
好ましい実施形態では、前記平面体は、導波管手段の長手方向軸に直交して延びる。
【００２９】
また、平面体が導波管手段の遠位端に対称的に据え付けられることも好ましい。
【００３０】
さらに好ましくは、平面体は、導波管手段の外側にすべての側に延びる。
【００３１】
好ましくは、平面体の近位面上の前記くぼんだ凹部は、細長い形状を有する。
【００３２】
有利には、前記細長いくぼんだ凹部は、導波管手段との接合部から平面体の近位面にわたって外側に放射状に広がっている。
【００３３】
細長いくぼんだ凹部は、有利には、それぞれの長手方向軸の周りで湾曲してもよい。
【００３４】
したがって、細長いくぼんだ凹部は、平坦な本体の近位面にわたって放射状に広がるフルーティング、チャネル、スカラップ、またはスクープの形態をとることができる。
【００３５】
細長いくぼんだ凹部は、導波管手段の遠位部分に沿って長手方向に延びるように、平面体の近位面から導波管手段の外面まで連続してもよい。
【００３６】
この態様では、動作ヘッドの平面体は、好ましくは、平坦な遠位面を有する。
【００３７】
したがって、外科用ツールは、セメントを取るまたはすくい上げるために、近くに向けられた引っ張り動作で使用されてもよい。
【００３８】
本発明の第３の態様にしたがうと、ねじれモード超音波振動によって作動するように適合された、人工関節再置換術において使用するための外科用ツールが提供され、導波管手段の遠位先端を備える動作ヘッドに前記超音波振動を伝えるように適合された細長い導波管手段を備え、ここで、前記動作ヘッドは、横方向に延びる遠位端面へと円錐台状に広がる導波管手段の端末伸長を備え、前記遠位端面は、複数のくぼんだ凹部を備え、それぞれは前記遠位端面と接触するセメントのような材料にねじれモード超音波振動を集中し伝えるように適合され、ここで、動作ヘッドは、端末伸長の円周から放射状に内側に延びる、および遠位端面から端末伸長に近位の導波管手段上の点に長手方向に延びる、複数のスロットを備え、前記スロットは、動作ヘッドを通して、超音波振動動作ヘッドによって軟化されたセメントの通過を可能にするように適合される。
【００３９】
好ましくは、前記放射状スロットは、遠位端面の総面積のほぼ半分に等しい、遠位端面でアセスされる総表面積を有する。
【００４０】
有利には、放射状スロットは、それらの近位端に向かってより浅くなっている。
【００４１】
放射状スロットは、動作ヘッドを複数のローブに分割することができ、複数のローブは、導波管手段の長手方向軸および動作ヘッド上に位置付けられた中央部分によって接続される。
【００４２】
動作ヘッドを３つのローブに分割する３つの放射状スロットがあってもよい。
【００４３】
本発明の第４の態様にしたがうと、ねじれモード超音波振動によって作動されるように適合された、人工関節再置換術において使用するための外科用ツールが提供され、前記超音波振動を、導波管手段の遠位端から延びる動作ヘッドに伝達するように適合されている細長い導波管手段を備え、ここで、動作ヘッドは、動作ヘッドの遠位縁部に向かって、第１の横方向に遠位に広がり、第２の横方向に遠位に先細になり、前記遠位縁部は、導波管手段の長手方向軸に対して直交する平面内に延び、前記直交平面内で、長手方向軸の一方の側に配置された浅い円弧において湾曲し、前記円弧の曲率の中心は、円弧から長手方向軸の反対側に位置付けられる。
【００４４】
したがって、円弧の曲率は、導波管の円周の曲率よりもはるかに浅い。
【００４５】
好ましくは、前記遠位縁部は、遠位縁部から近くに延びる一連の丸みを帯びたノッチを備え、それらの間に一連のＶ字形の歯を規定する。
【００４６】
前記ノッチは、有利には、ねじれモード超音波振動を動作ヘッドの遠位縁部から遠位方向に集中させて伝えるように適合される。
【００４７】
動作ヘッドは、導波管手段の隣接部分とほぼ沿って延びる第１の面と、第１の面に対してある角度で遠位方向に延びて遠位テーパを形成する第２の面とを備えることができる。
【００４８】
動作ヘッドの前記第２の面は、わずかに凹状の長手方向輪郭を有することができる。
【００４９】
本発明の第５の態様にしたがうと、埋め込まれたセメント接合プロテーゼの除去後に骨空洞から骨セメントを除去する方法が提供され、第１の超音波振動可能外科用ツールを使用して、骨空洞の壁を裏打ちするセメントの上に複数の長手方向の溝を形成するステップと、各溝は、セメントを通って骨空洞の壁まで放射状に延び、次いで、前記溝によって横方向に境界を定めたセクションにおいてセメントを分離するように、セメントと骨空洞の壁との間で第２の超音波振動可能ツールを遠位方向に通過させるステップとを含む。
【００５０】
好ましくは、方法は、第３の超音波振動可能外科用ツールを使用して、骨空洞の壁から任意の残りのセメントを削り取る工程をさらに含む。
【００５１】
有利には、第１の超音波振動可能外科用ツールは、上記の第１の態様の代替実施形態に記載されるような外科用ツールを備え、第２の超音波振動可能外科用ツールは、上記の第４の態様に記載されるようなツールを備え、第３の超音波振動可能ツールは、上記の第２の態様または第１の態様の第２の実施形態のいずれかに記載されるようなツールを備える。
【００５２】
本発明の第６の態様にしたがうと、埋め込まれたセメント接合プロテーゼの除去後に骨空洞に充填する骨セメントプラグを除去する方法が提供され、セメントプラグへの少なくとも１つの回転非対称平面体を備える動作ヘッドを有する第４の超音波振動可能外科用ツールを骨セメントプラグ中で駆動するステップと、隣接する骨セメントが依然として軟化されている間、少なくとも１つの平面体がバルクセメント中に横方向に通過するように前記動作ヘッドをねじるステップと、セメントが再硬化し、ツールがセメント中に固定されるまで待機するステップと、次いで、セメントプラグに力を及ぼし、それを骨空洞から一体として引き抜くようにツールを操作するステップとを含む。
【００５３】
好ましくは、第４の超音波振動可能外科用ツールは、上記の第１の態様の最後の実施形態で説明したツールを含む。
【００５４】
本発明の実施形態を、例として、および添付の図面の図を参照して、より具体的に説明する：
【図面の簡単な説明】
【００５５】
【図１Ａ】図１Ａは、股関節プロテーゼが除去された、大腿骨の上部の断片の概略縦断面図である。
【図１Ｂ】図１Ｂは、図１Ａの大腿骨の断片の概略断面図である。
【図２】図２は、本発明を具現化する第１の外科用ツールの側面図である。
【図３Ａ】図３Ａは、図２の外科用ツールの動作ヘッドの断片の斜視図である。
【図３Ｂ】図３Ｂは、図３Ａの動作ヘッドの断片の側面図である。
【図３Ｃ】図３Ｃは、図３Ａの動作ヘッドの遠位端の平面図である。
【図４Ａ】図４Ａは、本発明を具現化する第２の外科用ツールの動作ヘッドの断片の斜視図である。
【図４Ｂ】図４Ｂは、図４Ａの動作ヘッドの断片の側面図である。
【図４Ｃ】図４Ｃは、図４Ａの動作ヘッドの断片の遠位端の平面図である。
【図５Ａ】図５Ａは、本発明を具体化する第３の外科用ツールの動作ヘッドの断片の斜視図である。
【図５Ｂ】図５Ａの動作ヘッドの断片の側面図である。
【図５Ｃ】図５Ａの動作ヘッドの遠位端の平面図である。
【図６Ａ】図６Ａは、本発明を具体化する第４の外科用ツールの動作ヘッドの断片の斜視図である。
【図６Ｂ】図６Ｂは、図６Ａの動作ヘッドの断片の側面図である。
【図６Ｃ】図６Ｂの動作ヘッドの遠位端の平面図である。
【図７Ａ】図７Ａは、本発明を具現化する第５の外科用ツールの動作ヘッドの断片の斜視図である。
【図７Ｂ】図７Ｂは、図７Ａの動作ヘッドの断片の側面図である。
【図７Ｃ】図７Ｃは、図７Ａの動作ヘッドの遠位端の平面図である。
【図７Ｄ】図７Ｄは、図７Ｂに対して９０°で見た図７Ａの動作ヘッドの断片の側面図である。
【図７Ｅ】図７Ｅは、前記第５の外科用ツールの側面図である。
【図８Ａ】図８Ａは、本発明を具現化する第６の外科用ツールの動作ヘッドの断片の斜視図である。
【図８Ｂ】図８Ｂは、図８Ａの動作ヘッドの断片の側面図である。
【図８Ｃ】図８Ｃは、図８Ａの動作ヘッドの遠位端の平面図である。
【図８Ｄ】図８Ｄは、図８Ｂに対して９０°で見た図８Ａの動作ヘッドの側面図である。
【図８Ｅ】図８Ｅは、前記第６の外科用ツールの側面図である。
【図９Ａ】図９Ａは、本発明を具現化する第７の外科用ツールの動作ヘッドの断片の斜視図である。
【図９Ｂ】図９Ｂは、図９Ａの動作ヘッドの断片の側面図である。
【図９Ｃ】図９Ｃは、図９Ａの動作ヘッドの遠位端の平面図である。
【図９Ｄ】図９Ｄは、図９Ｂに対して９０°で見た図９Ａの動作ヘッドの断片の側面図である。
【図１０Ａ】図１０Ａは、本発明を具現化する第８の外科用ツールの動作ヘッドの断片の斜視図である。
【図１０Ｂ】図１０Ｂは、図１０Ａの動作ヘッドの断片の側面図である。
【図１０Ｃ】図１０Ｃは、前記第８の外科用ツールの遠位端の平面図である。
【図１０Ｄ】図１０Ｄは、図１０Ｂに対して９０°で見た図１０Ａの動作ヘッドの側面図である。
【図１０Ｅ】図１０Ｅは、本発明を具現化する前記第８の外科用ツールの側面図である。
【発明を実施するための形態】
【００５６】
ここで図面、特に図１Ａおよび図１Ｂを参照すると、人間の大腿骨１の近位端部分が示されており、この近位端部分は、以前にトリミングされ、股関節プロテーゼが埋め込まれていた。このプロテーゼは、その後、切迫した不具合の兆候を示したか、または大腿骨１から緩み始めたので、置換プロテーゼの埋め込み前に既知の方法によって引き抜かれている。プロテーゼの除去は、大腿骨１の壁３を裏打ちするＰＭＭＡセメント２の層を残し、プロテーゼがあった場所に間隙４を残し、これは、セメントの層２への簡便なアクセスを可能にする（以下参照）。この例では、セメントのプラグ５が間隙４の遠位に位置付けられ、プロテーゼを受け入れるためにくり抜かれた大腿骨１の骨空洞の部分を、骨空洞の残りの部分およびその中の骨髄６から分離している。（他の処置では、単純なセメントプラグ５の代わりにより複雑な密閉デバイスが埋め込まれるが、これらは、除去および修正のための異なるアプローチを必要とし、ここでは網羅されない）。
【００５７】
図１Ａおよび図１Ｂは、ここで説明するツールの使用方法の文脈において、以下でさらに参照される。ここに示された大腿骨１の壁３、セメント層２およびセメントプラグ５の比率は、明確にするために選択されたものであり、実際に見られる実際の寸法および比率を必ずしも正確に表すものではないことに留意されたい。
【００５８】
図２は、本発明を具現化する第１の外科用ツール１の側面図である。これは、（ねじれモード）超音波振動源（図示せず）に接続するための接続部分１２を近位端に有する、チタンの細長い導波管を備える。この例では、導波管は、細長い近位セクション１３と細長い遠位セクション１４とで構成され、近位セクション１３の方が、直径が大きい。（導波管の近位セクション１３と遠位セクション１４との間の直径のステップ１５のロケーションを、振動のノードにおいて、超音波振動の有意な増幅を生成するポジションに修正する。第１の動作ヘッド１６は、遠位セクション１４の遠位先端に据え付けられる。
【００５９】
図３Ａから図３Ｃは、第１の動作ヘッド１６をより詳細に示す。第１の動作ヘッド１６は、導波管の遠位セクション１４の遠位端に据え付けられた円板状本体１７を備え、円板状本体１７は、導波管の長手方向軸に垂直な平面内に延び、円板状本体１７の中心は、前記長手方向軸上に位置付けられる。１６個の同一の丸底チャネル１８は、円板状本体１７の遠位面にわたって外側に放射状に広がり、ほぼ円錐形の中心に位置付けられるプロング（prong）またはピーク（peak）１９と遠位面の円周との間に延びる。プロング／ピーク１９は、遠位面の残りの部分からわずかに盛り上がって延びる。
【００６０】
第１の外科用ツール１１がねじれモード超音波振動によって作動されるとき、丸底チャネル１８は、振動を集中させ、第１の動作ヘッド１６の遠位面と接触しているかまたは近接している材料にエネルギーを伝える。ねじれモード振動は導波管の長手方向軸線を中心とした前後のねじれ運動を含むので、この動作ヘッド１６の効果はその周囲に向かってより大きくなる。
【００６１】
第１の外科用ツール１１は、ツール１１の前方（遠位側）でＰＭＭＡ骨セメントを軟化させるために使用され、それを固体セメント内に押し込むことを可能にする。軟化したセメントは、第１の動作ヘッド１６の周囲を遠位面から近位面へと流れ、第１の外科用ツールが再凝固する前に第１の外科用ツールを（近くに）後退させることによって、この材料を除去することが可能であってもよい。このツール１１はまた、遠位面がセメントに部分的に接触し、穴に部分的に重なる状態で、それを穴に隣接するセメントに押し込むことによって、固体セメントに形成された穴を広げるために使用されることができる。
【００６２】
したがって、第１の外科用ツール１１は、主に、骨１の髄腔内のインプラントのロケーション４の遠位で、セメントプラグ５を形成する固体セメントを除去する際に使用される。
【００６３】
図４Ａから４Ｃは、第２の外科用ツール２１の第２の動作ヘッド２６を示す。これも、導波管の遠位セクション１４の遠位端に据え付けられ、導波管の長手方向軸に対して直角に延びる円板状本体２７を備える。円板状本体２７の中心は再び長手方向軸上に位置付けられ、中心に位置付けられる遠位プロング／ピーク２９があるが、これは第１の動作ヘッド１６の場合ほど顕著ではない。
【００６４】
８つの第１のチャネル２３および８つの第２のチャネル２８は、円板状本体２７の遠位面の周りに交互に配置され、それぞれは、中央プロング／ピーク２９から外側に延びる。ノッチ２５が、各第１のチャネル２３の外側端部において円盤状本体２７の円周に形成され、一方で、第２のチャネル２８はそれぞれ、ノッチ２５を越えて円盤状本体２７の円周まで外側に延びる。これは、図４Ｃに最もよく示されるように、花弁様効果を生じさせる。
【００６５】
第１および第２のチャネル２３、２８のそれぞれは、第１の動作ヘッド１６の場合と同様に、第２の動作ヘッド２６の遠位面に接触しているかまたは近接している材料にねじりモード超音波振動を集中させ、同じ効果をもたらす。しかしながら、このケースでは、第２の外科用ツール２１が使用されるとき、ノッチ２５の存在は、第２の動作ヘッド２６の近位側への軟化したセメントの流れを容易にする。
【００６６】
したがって、第２の外科用ツール１１は、第１の外科用ツールと同じ処置のステップに適しており、除去されたインプラントのロケーション４の遠位側で、髄腔を充填するセメントプラグ５を穿孔して、その除去を補助する。
【００６７】
図５Ａから５Ｃは、第３の外科用ツール３１の第３の動作ヘッド３６を示す。これらは、第１の外科用ツール１１／動作ヘッド１６と同様であり、同様に導波管の遠位セクション１４の遠位端に位置付けられた円板状本体３７を有する。中心に位置付けられたピーク／プロング１９から円板状本体３７の遠位面にわたって放射状に延びる１６個の丸底チャネル１８がある。
【００６８】
しかしながら、１６個の追加の丸底チャネル３８は、円板状本体３７の近位面にわたって、その円周と導波管との間で、ならびに導波管の遠位セクション１４に沿って長手方向に短い距離で、放射状に広がっている（遠位チャネル１８を近位追加チャネル３８と区別するために図５Ａに破線で示す）。
【００６９】
したがって、第３の外科用ツール３１は、上述したように第１の外科用ツール１１と同一の方法で使用することができ、またはセメントプラグ５中の穴の壁に沿って、または骨１自体の内壁３を裏打ちするセメントの層２に沿って（近くに）上方に引き出すことができ、セメントを軟化させ、それをすくい上げ、骨空洞から引き出す。
【００７０】
図６Ａから６Ｃは、第４の外科用ツール４１の第４の動作ヘッド４６を示す。これは、上述した第３の動作ヘッド３６／第３の外科用ツール３１と同様であり、導波管の遠位セクション１４の遠位端に同様に位置付けられた円板状本体４７を有する。円板状本体４７の近位面にわたって、その円周と導波管との間で、ならびに導波管の遠位セクション１４に沿って長手方向に短い距離で、放射状に広がっている、１６個の丸底チャネル３８がある。（再び、図６Ａに破線で示す）。
【００７１】
しかしながら、第４の動作ヘッド４６では、遠位面４９は特徴がなく、円板状本体４７の円周は遠位方向に傾斜している。
【００７２】
したがって、第４の外科用ツール４１は、以前に形成された穴のセメント形成壁に沿って、または骨１の内壁３を裏打ちするセメントの層２に沿って（近くに）上方に引き出され、したがって、セメントを軟化させ、軟化されたセメントをすくい上げ、それを骨空洞から引き出すことによってのみ使用するためのものである。
【００７３】
図７Ａから７Ｅは、第５の動作ヘッド５６を有する第５の外科用ツール５１を示す。これは、外側に延びる円盤状本体が存在しないので、上述した動作ヘッド１６、２６、３６、４６とは異なる。代わりに、導波管の遠位セクション１４の末端部分５７は、動作ヘッド５６の遠位先端に向かって直径が徐々にわずかに増加するように形成される。（図示の例では、遠位セクション１４は直径が５ミリメートルであり、末端部分５７は、遠位先端において、その最も広い直径がわずか６ミリメートルである）。
【００７４】
遠位先端の遠位面は、その周囲に９つのスカラップ状凹部５８と、中央に位置付けられたより大きなスカラップ状凹部５９とを備える。第５の動作ヘッド５６は、３つの放射状スロット５５によって３つの分岐またはローブに分割される。放射状スロット５５は、遠位面のほぼ中心まで延び、中央のより大きなスカラップ状凹部５９を３つのアームの概してＹ字形の特徴に縮小させ、その各アームは外側に延び、９つのスカラップ状凹部５８の３つの組に接触する。放射状スロット５５はまた、末端部分５７を通って近くに延び、それらが進むにつれて徐々に浅くなり、最終的に、導波管の遠位セクション１４に沿って短い距離で先細になる。
【００７５】
スカラップ状凹部５８、５９はそれぞれ、遠位面と接触しているかまたは遠位面に近接している材料にねじりモード超音波振動のエネルギーを集中させて伝える。ねじれモード振動の振幅は遠位面の円周に向かって大きくなる（狭いが、そうであってもよい）ので、周囲９つのスカラップ凹部５８はより大きな効果を有する。
【００７６】
放射状スロット５５は、超音波振動によって軟化したセメントが第５の動作ヘッド５６を通ってその近位側通過することを可能にするように機能し、したがって、それらは、概して、機能において、上の第２の動作ヘッド２６のノッチ２５に対応し、それぞれの動作ヘッド２６、５６の異なる幾何学形状を可能にする。
【００７７】
したがって、第５の外科用ツール５１はまた、例えば、狭い穴が必要とされるときに穴を形成するために、または上述の他の外科用ツール１１、２１、３１、４１のうちの１つによって後に広げるための「パイロット穴」を作成するために、バルクセメントで駆動するための、穿孔ツールとして最も有用である。
【００７８】
図８Ａから８Ｅは、第６の動作ヘッド６６を有する第６の外科用ツール６１を示しており、第６の外科用ツール６１は、ここに示されるものの残りとは著しく異なる。第６の動作ヘッド６６は、導波管の遠位セクション１４の遠位端から延びるが、上述のものとは異なり、概して扇形の形状を有する。
【００７９】
第６の動作ヘッド６６は、図８Ａおよび図８Ｄに示されるように、その遠位縁部６９まで延びるにつれて横方向に扇形に広がるが、図８Ｂに示されるように、第６の動作ヘッド６６は、図８Ｄの方向に対して直角の方向から見たときに楔形に先細になる。図８Ｂに示されるように、第６の動作ヘッド６６の第１の面６７は、導波管の遠位セクション１４の外面と実質的に同一平面に延びるが、反対側の第２の面６８は、第１の面６７に向かって遠位に延びるように角度付けられ、テーパまたは楔の輪郭を生成する。第２の面６８は、図８Ｂおよび図８Ｃで最もよく分かるように、わずかに凹状である。
【００８０】
図８Ａ、図８Ｃおよび図８Ｄに最もよく示されているように、第６の動作ヘッド６６の遠位縁部６９には、その長さに沿って一連の小さなノッチ６５が設けられており、それらの間に一連のプロングまたはスパイク６３を規定している。
【００８１】
さらに、第６の動作ヘッド６６は、その（見かけ上直線の）遠位縁部６９に測定されるように実質的に一定の長さを有するが（図８Ｄ参照）、動作ヘッド６６は、遠位縁部６９が、導波管の長手方向軸に平行な方向から見たときに湾曲するように輪郭を描く（図８Ｃ参照）。この形状の機能を以下に説明するが、遠位縁部６９の曲率は、大腿骨１の壁３の内部曲率と適合するように意図されていることに留意されたい。
【００８２】
上述した他の動作ヘッドに関しては、ノッチ６５およびプロング６３は、それ自体、切断／穿孔特徴として意図されていない。代わりに、ノッチ６５は、ねじれモード超音波振動を集中させ、これらを遠位縁部６９の直ぐ前にそれらを伝えるように機能する。
【００８３】
第６の外科用ツール６１は、多くの場合、第７の外科用ツール７１と併せて使用され、第７の動作ヘッド７６が図９Ａから９Ｄに示されている。この動作ヘッドは、第３の外科用ツール３１の動作ヘッドに関連する（図４Ａから４Ｃ参照）。第７の動作ヘッド７６は、円板状本体を備えるよりもむしろ、２つの対向する直線側部と２つの対向する湾曲側部とを有する本体７７を備え、直線側部７５は、第３の動作ヘッド３６の対向する側部からセグメントを切り取ることによって形成されたかのようになっている。（例えば、図９Ｄを参照されたく、図９Ｄは、どのように動作ヘッド７６が導波管の遠位セクション２４よりもわずかに幅広であるかを図示している）。遠位面では、丸底チャネル１８は、プロングまたはピーク１９から本体７７の周囲まで外側に放射状に広がり、一方、近位面では、追加のチャネル３８は、導波管と本体７７の周囲との間に放射状に広がり、加えて、導波管の遠位セクションに沿って短い距離で広がる。
【００８４】
動作ヘッド７６はもはや完全に円形対称ではないが、ねじれモード超音波振動によって依然として安全に作動させることができ、遠位面上のチャネル１８および近位面上の追加のチャネル３８の両方が、振動を集中させ、隣接する材料に伝えることができる。
【００８５】
同様のツールは、それらの動作ヘッドの遠位面または近位面にのみ存在するチャネル１８、３８を用いて製造することができるが、これらは簡潔にするために示されていない。
【００８６】
第７および第６の外科用ツール７１、６１は、骨１の内壁３を裏打ちするセメント層２を除去するために一緒に使用されてもよい。第７の外科用ツール７１は、（超音波で作動された）手術用ヘッド７１の遠位面をセメント層２の上端に提示し、遠位に押してセメントを穿孔することによって、または近位面をセメント層２の下部領域に提示し、近くに引きだし、セメントをすくい取ることによって、壁３までセメント層２内に放射状に延び、セメント層２を穿孔する溝を形成するために使用される。溝の幅は、動作ヘッド７６の２つの直線側部７５間の間隔によって決定される。これらの溝は、好ましくは、セメント層２の長手方向に延びて生成され、セメント層を一連の垂直ストリップに分割する。
【００８７】
次に、第６の外科用ツール６１の遠位縁部６９は、セメント層２の近位／上端において骨／セメント界面に提示され、作動され、骨１の壁３とセメント層２との間に超音波振動を下方に伝える。これにより、セメント層２が壁３から分離され、ツール６１の（楔形の）動作ヘッド６６を骨１の内部のさらに下方／遠位に通過させることができ、セメントのストリップ全体を壁３から一度に剥がすことができる。これは、壁３からセメント層２を除去する非常に効率的な方法である。（このセメントの完全な除去は、補綴部位が感染しているときに特に重要であることがある）。
【００８８】
図１０Ａから１０Ｅは、遠位部分８６および近位部分９６を含む第８の動作ヘッドを有する第８の外科用ツール８１を示す。遠位部分８６は、その近位面にわたって延びる追加のチャネル３８が存在しないことを除いて、第７の動作ヘッド７６（図９Ａから９Ｄ参照）と同様である。したがって、遠位部分８６は、２つの湾曲した縁部および２つの平行な真っ直ぐな縁部８５を有する本体８７を備え、チャネル１８は、周囲と中央プロング／ピーク１９との間でその遠位面にわたって放射状に広がる。第８の動作ヘッドの近位部分９６はまた、２つの湾曲縁部および２つの平行な直線縁部９５を有する本体９７を備え、直線側部９５は、円形本体の対向する側部からセグメントを切り取ることによって形成されたかのようになっている。近位部分９６は、遠位部分８６よりもわずかに大きく（図１０Ｂおよび図１０Ｃ参照）、遠位部分８６と整列しているが、遠位部分８６とは異なり、近位部分９６は、いずれの面にもチャネルまたは凹部を有していない。
【００８９】
いったんセメント層２が壁３から除去されると、第８の外科用ツール８１は、遠位セメントプラグ５を骨腔から引き抜くために使用される。ツール８１は超音波で作動され、プラグ５まで提供され、遠位部分８６の遠位面上のチャネル１８は、超音波エネルギーをツール８１の前方のセメントに集中させ、セメントを軟化させる。このようにして、ツール８１をプラグ５のセメント内に押し込むことができる。近位部分９６は、作動されるとき、集中チャネルまたは凹部が存在しなくても、隣接するセメントを軟化状態に保つのに十分である。いったん第８の動作ヘッドの両方の部分８６、９６がプラグ５のセメント内に十分に入ると、ツール８１は、その長手方向軸の周りにほぼ直角にねじられる。これは、遠位部分８６および近位部分９６を軟化したセメント内で横方向に駆動し、超音波振動がオフにされてセメントが再び硬化するとき、ツール８１がプラグ５内にしっかりと固定される。ツール８１への衝撃エクストラクターハンマーの適用は、次いで、単一の処置ステップで骨空洞から自由にセメントプラグ５の実質的な部分または全体を破壊することができ、穿孔するおよび削り取るツールを使用して段階的にプラグ５のセメントを除去することと比較して、多くの時間および労力を節約する。
【００９０】
上述したツール１１、２１、３１、４１、５１、６１、７１、８１の一部または全部を含み、必要に応じてねじりモード超音波振動源に動作可能に接続されたツールのキットは、したがって、関節プロテーゼの修正中に髄内ＰＭＭＡセメントを除去するために使用することができ、従来のシステムよりも効果的かつ効率的である。
【００９１】
例示的な方法は、以下のように進む。大腿骨からインプラントを除去した後、大腿骨の近位端から処置を開始する。髄腔の壁を裏打ちするセメントの円筒形シェルは、（図９Ａから９Ｄの第７のツール７１のような）溝形成ツールを使用して長手方向に分割することによってアプローチされる。この器具は、セメントシェルにスロットを生成し、セメントが骨の骨内膜表面から引き離され／剥離されることを可能にする。好ましくは、このようにして、大腿骨の近位端から遠位端に向かって延びる複数のスロットが形成される。セメントシェルをセグメント化したら、（図７Ａから７Ｅの第６のツール６１のような）扇形ツールを骨セメント界面に挿入し、セメントシェルのセグメント全体を骨から分離するために使用することができる。
【００９２】
セメントシェルを完全に除去し、遠位セメントプラグを完全に露出させるのに十分にこれらのステップが反復されると、これは、穿孔器およびスクレーパツールの反復適用によって、または（図９Ａから９Ｅに示される）第８のツール８１のようなツールをプラグ内に埋め込み、これを使用してプラグを引き抜くすることによって、除去されることができる。記載した穿孔機およびスクレーパツールに関して、このツールは、ねじれモード超音波エネルギーの高い局所的な集中を生成するスカラップ状の特徴をその遠位面上に有し、ツールの前方およびツールに隣接してセメントを急速に軟化させ、そのヘッドがプラグ内に深く埋め込まれ、セメントの塊内に９０°回転されることを可能にする。次いで、セメントは、ツールがしっかりと埋め込まれたまま、生理食塩水で洗浄することによって冷却されることができ；超音波源からのその近位端における分離およびスラップハンマーのような器具の接続は、プラグが、慣性衝撃手段によって髄腔から自由に破壊されることを可能にできる。しかしながら、穿孔器およびスクレーパツールを使用してプラグを漸増的に除去する代替アプローチは、あまり外傷的ではない可能性が高く、したがって、外科医は、特定の患者に対してどのアプローチが最良であるかの彼または彼女の判断に応じて、全てのツールが利用可能である。
【図１Ａ】
2022502169.tif 000003
【図１Ｂ】
2022502169.tif 000004
【図２】
2022502169.tif 000005
【図３Ａ】
2022502169.tif 000006
【図３Ｂ】
2022502169.tif 000007
【図３Ｃ】
2022502169.tif 000008
【図４Ａ】
2022502169.tif 000009
【図４Ｂ】
2022502169.tif 000010
【図４Ｃ】
2022502169.tif 000011
【図５Ａ】
2022502169.tif 000012
【図５Ｂ】
2022502169.tif 000013
【図５Ｃ】
2022502169.tif 000014
【図６Ａ】
2022502169.tif 000015
【図６Ｂ】
2022502169.tif 000016
【図６Ｃ】
2022502169.tif 000017
【図７Ａ】
2022502169.tif 000018
【図７Ｂ】
2022502169.tif 000019
【図７Ｃ】
2022502169.tif 000020
【図７Ｄ】
2022502169.tif 000021
【図７Ｅ】
2022502169.tif 000022
【図８Ａ】
2022502169.tif 000023
【図８Ｂ】
2022502169.tif 000024
【図８Ｃ】
2022502169.tif 000025
【図８Ｄ】
2022502169.tif 000026
【図８Ｅ】
2022502169.tif 000027
【図９Ａ】
2022502169.tif 000028
【図９Ｂ】
2022502169.tif 000029
【図９Ｃ】
2022502169.tif 000030
【図９Ｄ】
2022502169.tif 000031
【図１０Ａ】
2022502169.tif 000032
【図１０Ｂ】
2022502169.tif 000033
【図１０Ｃ】
2022502169.tif 000034
【図１０Ｄ】
2022502169.tif 000035
【図１０Ｅ】
2022502169.tif 000036
【国際調査報告】
2022502169.tif 000037
2022502169.tif 000038
2022502169.tif 000039
2022502169.tif 000040
2022502169.tif 000041